(57)【特許請求の範囲】
【請求項１】
相手側コネクタハウジングに嵌合可能とされ、内部に、電線の端末に接続された端子金具を収容可能なコネクタハウジングと、前記相手側コネクタハウジングとの嵌合面を残して前記コネクタハウジングの外側面に被せ付けられるグロメットと、前記グロメットの外側面を覆う硬質のグロメットカバーとを備え、
前記グロメットには、前記相手側コネクタハウジングとの嵌合方向と交差する方向に延出されて、前記コネクタハウジングの端面から引き出された前記電線を内挿する電線導出部が形成され、
前記グロメットのうち、前記電線導出部が延出される側を向いて前記電線導出部に連なる一側部には、前記コネクタハウジングに設けられた係止突部を貫通して嵌め入れ可能な係止孔が形成され、かつこの係止孔の開口縁周りには環状にかつテーパ状に肉盛りがされて突条が突出形成される一方、
前記グロメットカバーには、前記グロメットの一側部に対して開き状態と閉じ状態とに開閉可能とされた蓋部が形成され、この蓋部には、同蓋部が閉止されたときに前記係止孔と整合しかつ係止突部を嵌め入れ可能な貫通孔と、グロメット係合部とが形成され、
前記蓋部が閉止されたときには、前記グロメット係合部が前記グロメットの一側部のうち前記係止孔より前記電線導出部側の領域に係合することにより、前記電線導出部が振れた場合にその振れ方向に前記係止孔の孔周りが追従して変形するのを規制するとともに、前記貫通孔の孔縁が前記突条を圧潰して前記係止突部と前記係止孔周りとを密着させることを特徴とするコネクタ。
【請求項２】
前記グロメット係合部は、前記グロメットの一側部側に突出する形態とされ、前記コネクタハウジングには、前記グロメット係合部と対応する位置に、グロメット受け部が凹み形成されており、
前記グロメットの一側部は、前記グロメット係合部および前記グロメット受け部の形状に沿って段差状に屈曲しつつ前記蓋部と前記コネクタハウジングとの間に挟み付けられることを特徴とする請求項１に記載のコネクタ。
【請求項３】
前記蓋部は、前記グロメットを包囲するカバー本体部にヒンジを介して開閉可能とされ、前記閉じ状態で前記グロメットの一側部の外周面に密着するようになっており、かつ、前記蓋部には、前記カバー本体部に係止されることで前記閉じ状態を保持する閉止部が、前記グロメット係合部と隣接して形成されていることを特徴とする請求項１または請求項２に記載のコネクタ。
【発明の詳細な説明】
【技術分野】
【０００１】
本発明は、コネクタに関する。
【背景技術】
【０００２】
車両に搭載されるコネクタとして、以下の特許文献１に記載のものが知られている。このものは、相手側となる雄ハウジングに嵌合可能とされ、電線の端末に接続された雌端子金具を収容可能な雌ハウジングと、雌ハウジングに対し後方から被せ付けられるとともに嵌合面を除いた雌ハウジングの外側面全体を覆うように装着されるグロメットと、グロメットの外側に装着されるキャップ状のグロメットカバーと、グロメットカバーの両側外面に取り付けられ、雄ハウジングとの間にカム作用を発揮して両ハウジングを互いに低嵌合力で引き寄せるレバーとを備えている。グロメットは、グロメットカバーと雌ハウジングとの間に挟み付けられ、雌ハウジングの外側面から突成された係止突部に、自身の上下両面に形成された係止孔を引っ掛けつつ貫通させることで、雌ハウジングから外れ止めされた状態で保持される。また、グロメットカバーの背面には、雌ハウジングの後面から引き出される電線群を内挿する電線導出部が下方へ延出して形成されている。
【特許文献１】特開２００５−１６６５７５公報
【発明の開示】
【発明が解決しようとする課題】
【０００３】
ところで、グロメットを車両側に取り付けるのに伴って電線導出部が振れることがあり、その振れ方向にグロメットが引っ張られることがある。この場合に、グロメットのうち電線導出部に屈曲して連なる下側部が電線導出部の振れに追従して変位すると、下側部における係止孔の孔周りが変形して、係止孔の内周面と係止突部の外周面との間に隙間が生じることがある。そうすると、この隙間を通して水が入ることがあり、雌ハウジングが浸水されて所定の防水性を確保できないおそれがある。
【０００４】
本発明は上記した事情に基づいてなされたものであって、電線導出部が振れても所定の防水性を維持することを目的とする。
【課題を解決するための手段】
【０００５】
上記の目的を達成するための手段として、請求項１の発明は、相手側コネクタハウジングに嵌合可能とされ、内部に、電線の端末に接続された端子金具を収容可能なコネクタハウジングと、前記相手側コネクタハウジングとの嵌合面を残して前記コネクタハウジングの外側面に被せ付けられるグロメットと、前記グロメットの外側面を覆う硬質のグロメットカバーとを備え、前記グロメットには、前記相手側コネクタハウジングとの嵌合方向と交差する方向に延出されて、前記コネクタハウジングの端面から引き出された前記電線を内挿する電線導出部が形成され、前記グロメットのうち、前記電線導出部が延出される側を向いて前記電線導出部に連なる一側部には、前記コネクタハウジングに設けられた係止突部を貫通して嵌め入れ可能な係止孔が形成され、かつこの係止孔の開口縁周りには環状にかつテーパ状に肉盛りがされて突条が突出形成される一方、前記グロメットカバーには、前記グロメットの一側部に対して開き状態と閉じ状態とに開閉可能とされた蓋部が形成され、この蓋部には、同蓋部が閉止されたときに前記係止孔と整合しかつ係止突部を嵌め入れ可能な貫通孔と、グロメット係合部とが形成され、前記蓋部が閉止されたときには、前記グロメット係合部が前記グロメットの一側部のうち前記係止孔より前記電線導出部側の領域に係合することにより、前記電線導出部が振れた場合にその振れ方向に前記係止孔の孔周りが追従して変形するのを規制するとともに、前記貫通孔の孔縁が前記突条を圧潰して前記係止突部と前記係止孔周りとを密着させる構成としたところに特徴を有する。
【０００６】
請求項２の発明は、請求項１に記載のものにおいて、前記グロメット係合部は、前記グロメットの一側部側に突出する形態とされ、前記コネクタハウジングには、前記グロメット係合部と対応する位置に、グロメット受け部が凹み形成されており、前記グロメットの一側部は、前記グロメット係合部および前記グロメット受け部の形状に沿って段差状に屈曲しつつ前記蓋部と前記コネクタハウジングとの間に挟み付けられるところに特徴を有する。
【０００７】
請求項３の発明は、請求項１または請求項２に記載のものにおいて、前記蓋部は、前記グロメットを包囲するカバー本体部にヒンジを介して開閉可能とされ、前記閉じ状態で前記グロメットの一側部の外周面に密着するようになっており、かつ、前記蓋部には、前記カバー本体部に係止されることで前記閉じ状態を保持する閉止部が、前記グロメット係合部と隣接して形成されているところに特徴を有する。
【発明の効果】
【０００８】
＜請求項１の発明＞
コネクタハウジングの外周面にグロメットを被せ付け、さらにグロメットの外周面にグロメットカバーを被せた後、グロメットの一側部にグロメットカバーの蓋部を閉止することにより、蓋部に設けられたグロメット係合部をグロメットの係止孔より電線導出部側の領域に係合させ、もって電線導出部の振れに係止孔の孔周りが追従して変形するのを規制するようにしたから、コネクタハウジングに設けられた係止突部の外周面と係止孔の内周面との間に隙間が生じるのを回避できる。結果、コネクタハウジング内に水が浸入するのを阻止することができ、防水性を良好に保つことができる。
また、蓋部をグロメットの一側部に被着させると、係止孔の開口縁周りに肉盛りされた突条が圧潰可能とされるから、係止突部の外周面に対して係止孔の内周面がリジッドに密着する。結果、係止突部と係止孔との密着性が高まり、両者間に隙間が生じるのをいっそう確実に回避できる。
【０００９】
＜請求項２の発明＞
グロメットの一側部がグロメット係合部およびグロメット受け部の形状に沿って段差状に屈曲しつつ蓋部とコネクタハウジングとの間に挟み付けられるから、電線導出部の振れに伴う引っ張り力に抗してグロメットの一側部がグロメット係合部とグロメット受け部との間に噛み込まれこととなり、係止孔の孔周りが変形するのをいっそう確実に防止できる。
【００１０】
＜請求項３の発明＞
カバー本体部に蓋部を被せると、閉止部がカバー本体部に係止されてその閉じ状態を強固に保つことができる。この場合に、閉止部がグロメット係合部と隣接して形成されているから、グロメット係合部が閉止部による閉止力を加味してグロメットの一側部に強く係合することとなり、係止孔の孔周りが変形するのをいっそう確実に防止できる。
【発明を実施するための最良の形態】
【００１１】
＜実施形態１＞
本発明の実施形態１を図面に基づいて説明する。本実施形態のコネクタＡは、防水コネクタを例示するものであって、雌ハウジング１０（本発明におけるコネクタハウジングに相当）、グロメット３０、グロメットカバー５０、レバー７０を備えて構成される。雌ハウジング１０は、相手側の雄ハウジング９０に嵌合可能とされ、雄ハウジング９０は、図１に示すように、パネル９５の取付孔に待ち受け状態で取り付けられている。なお、以下に説明において、前後方向については雄ハウジング９０との嵌合面側を前方とし、上下方向については図１を基準とする。
【００１２】
雌ハウジング１０は合成樹脂製であって、詳しくは図示しないが、上下方向（高さ方向）に細長い矩形ブロック状をなし、内部に、複数の雌端子金具を収容可能とされる。雌ハウジング１０の後面は、各雌端子金具に接続された電線が束になって引き出される電線導出面とされ、ここから電線が図示下方へ屈曲して延出される。雌ハウジング１０は、その前面（嵌合面）を残した外側面の全体をグロメット３０により覆われる。雌ハウジング１０の上下両面（短辺側の面）には、図４に示すように、一対の係止突部１１が形成されている（都合上、下側の係止突部１１のみ図示する）。係止突部１１は、略円柱形をなし、ここにグロメット３０およびグロメットカバー５０が引っ掛け状態で係止される。また、雌ハウジング１０の上下両面のうち係止突部１１より後方には、略垂直に切り立つ段差１２を介して一段落ちたグロメット受け部１３が凹み形成されている。
【００１３】
グロメット３０は、ゴム製であって伸縮可能とされ、袋状のハウジング収容部３１と、ハウジング収容部３１の背面から延出される略円筒状の電線導出部３２とからなる。電線導出部３２には、雌ハウジング１０の後面から引き出された電線群が内挿され、これにより電線の引き出し方向が図示下方へ規定されるようになっている。詳しくは電線導出部３２は、相手側の雄ハウジング９０との嵌合方向と交差する方向、詳しくは嵌合方向と略直交する方向に延出され、その延出途中から延出先端にかけて、蛇腹の付いたコルゲート構造部３３が形成されている。コルゲート構造部３３は、少なくとも雌ハウジング１０の高さ寸法を超える長さをもって形成され、電線導出部３２の振れ方向に揺動変位可能とされる。
【００１４】
グロメット３０のハウジング収容部３１は、詳しくは図示しないが、雌ハウジング１０の四方（嵌合方向と直交する方向）を覆うよう上下方向に細長く延びる矩形枠状をなし、長辺部として構成される左右両側部と、短辺部として構成される上下両側部とを備える。また、ハウジング収容部３１は、左右両側部および上下両側部の各後端に連なって雌ハウジング１０の電線導出面を覆うとともに電線導出部３２の根元に連なる背面部を備えている。上下両側部のうち、電線導出部３２の延出する側を向いて電線導出部３２に一体連成される下側部３４は、本発明の一側部として構成される。下側部３４の外周面は、図５に示すように、電線導出部３２の外周面と顎状、詳しくは直角状に連なり、下側部３４の外周面から電線導出部３２の外周面にかけて、略くの字または略Ｌの字を呈している。
【００１５】
また、グロメット３０の上下両側部には、雌ハウジング１０側の係止突部１１に嵌め付けられる係止孔３５が貫通して形成されている。係止孔３５に係止突部１１が引っ掛け状態で嵌ることにより、グロメット３０の雌ハウジング１０からの外れ止めがなされる。ハウジング収容部３１の係止孔３５は、係止突部１１の周方向に沿うよう略円形に開口して形成されており、その孔面が係止突部１１の外周面に密着可能とされる。上下両側部の外側面における係止孔３５の開口縁には、図５に示すように、突条３６が周方向に沿って形成されている。突条３６は、係止孔３５の開口縁を全周に亘って取り囲む環状をなし、その内周面が係止突部１１の外周面に密着可能とされ、かつ、グロメットカバー５０側の蓋部５１（後述する）の閉止に伴って同蓋部５１により厚み方向に圧潰可能とされる。
【００１６】
そして、下側部３４の外側面には、係止孔３５より電線導出部３２寄りの位置に、段差３７を介して周囲よりも一段落ちた凹所３８が形成されている。凹所３８は、略垂直に切り立つ段差３７によってループ状に閉じられた形態をなし、下側部３４の全幅に亘って形成されるとともに、正面から見た右側部にも跨り、二面に亘って形成されている。下側部３４の内側面において凹所３８と対応する部分は、この凹所３８の成形に伴って内側へ台形状に突出しており、その突出部分が雌ハウジング１０側のグロメット受け部１３に嵌るようになっている。そして、ハウジング収容部３１の凹所３８には、グロメットカバー５０の蓋部５１に形成されたグロメット係合部５２が嵌るようになっている。
【００１７】
続いて、グロメットカバー５０について説明する。グロメットカバー５０は、合成樹脂製であってグロメット３０の外側面に被着可能なキャップ状をなし、左右一対の両側壁、上壁、および後壁からなるカバー本体部５３と、下壁として構成され、グロメット３０の下側部３４に対して閉じ状態と開き状態とに変位可能とされた蓋部５１とからなる。両側壁の外側面には、レバー７０を回動可能に支持する一対の支軸５４が突設されている。
【００１８】
レバー７０は同じく合成樹脂製であって、図２および図３に示すように、操作部７１と操作部７１の両端から突出する左右一対のアーム部７２とにより全体として門型をなし、グロメットカバー５０に対し後方から跨って組み付けられる。両アーム部７２には、支軸５４を嵌合可能な軸受孔７３が貫通して形成され、また、軸受孔７３の近傍に、所定方向に延出されたカム溝７４が形成されている。カム溝７４は、両アーム部７２の外周縁に開口され、そこから相手側の雄ハウジング９０に設けられたピン状のカムフォロワ９１を受け入れ可能となっている。かかるレバー７０は、操作部７１がグロメットカバー５０の後壁下端部に近接して配される回動初期位置と、この回動初期位置から操作部７１を指で摘んで図１における反時計周りに回動され、操作部７１がグロメットカバー５０の後壁上端部に近接して配される回動完了位置とを変位可能とされる。レバー７０を回動初期位置として両ハウジング１０，９０を浅く嵌合すると、カム溝７４の入り口にカムフォロワ９１が進入する。その状態でレバー７０を回動完了位置へ向けて回動すると、カムフォロワ９１がカム溝７４に沿って相対的に移動し、両ハウジング１０，９０間でカム作用が発揮されて、両ハウジング１０，９０が互いに引き寄せられる。レバー７０が回動完了位置に至ると、両ハウジング１０，９０が正規嵌合され、もって雌雄の両端子金具が正規深さで導通接続される。
【００１９】
両アーム部７２の外周縁には、同外周縁に沿って仮保持片７５が撓み変形可能に形成されている。グロメットカバー５０の両側壁の外周面には、仮保持片７５を係止する仮保持リブ５５が前後方向に延出して形成されており、この仮保持リブ５５に仮保持片７５が係止されることでレバー７０が回動初期位置に留めおかれる。仮保持リブ５５と仮保持片７５とが係止し合っている状態から、雄ハウジング９０との嵌合動作が開始され、仮保持片７５が雄ハウジング９０に設けられた解除片と干渉することにより、仮保持片７５が係止解除方向に撓み変形され、これによって仮保持リブ５５と仮保持片７５との係止状態が解除されて、レバー７０の回動操作が許容される。
【００２０】
また、グロメットカバー５０の後壁には、グロメット３０の電線導出部３２を内包する電線収容部５６が後方へ膨出して形成されている。電線収容部５６は、内側に電線収容空間を保有した断面略台形をなし、レバー７０の回動時、その下端から上端にかけてレバー７０の操作部７１が縦断するようになっている。電線収容部５６の後壁の上面は前方へ向けて上り勾配となる斜辺部５７とされ、この斜辺部５７に沿ってレバーロック部８１が形成されている。レバーロック部８１は、図２に示すように、左右に入れられたスリット８９間に配されるとともに、斜辺部５７の後端下部から前端上部にかけて片持ち状に延出する形態とされ、その斜辺部５７の後端下部に撓み支点を有して前後方向に撓み変形可能とされる。また、レバーロック部８１の長さ方向途中には、いったん後方へ山形に突出したあと凹陥状に落ち込むロック受け部８２が形成されており、このロック受け部８２に、レバー７０の操作部７１が嵌り込むことで、レバー７０が回動完了位置にて移動規制状態にロックされる。レバーロック部８１の先端には、撓み規制突片８３が左右両側に張り出して形成され、両撓み規制突片８３が斜辺部５７の前端上部に突成された撓み規制壁５８に当接することで、レバーロック部８１がそれ以上後方へ過度撓みしないようにしてある。
【００２１】
レバー７０の回動操作が終盤に入ると、レバー７０の操作部７１がレバーロック部８１において山形に突出する突起８４と干渉してレバーロック部８１を前方へ撓み変形させ、さらにレバー７０が回動完了位置に至ると、操作部７１が突起８４から離間し、それに伴ってレバーロック部８１が弾性復帰して、操作部７１の内壁に形成された嵌合ロック部７６が、ロック受け部８２に嵌り込むようになっている（図３および図６を参照）。この場合、レバーロック部８１が弾性復帰すると、ロック受け部８２が嵌合ロック部７６に突き当たってパチンというロック音が鳴り、これによりレバー７０のロックが成立したことを聴覚的に検知できるようになっている。
【００２２】
ところで、レバー７０の操作部７１には、回動完了位置側への回動方向後半部に、前半部より一段高くなった指宛部７７が形成されている。指宛部７７は、断面三角形状をなして操作部７１の全幅に亘って突成され、レバー７０の回動時、ここに指が宛がわれることにより、指がレバーロック部８１に対して非干渉に通過するようになっている。したがって、レバー７０の回動途中で指によってレバーロック部８１が撓み変形させられ、その状態のまま不正規にロックがかかるのを阻止できる。結果として、上記したロック音を確実に発生させることが可能となり、レバー７０が回動完了位置に至る手前で留め置かれる事態を防止できるようになっている。
【００２３】
さて、グロメットカバー５０の蓋部５１は、図２および図３に示すように、カバー本体部５３の下縁にヒンジ６１を介して開閉可能に連結されている。グロメットカバー５０は、グロメット３０により覆われた雌ハウジング１０に対して後方から被せ付けられ、そののち蓋部５１を、ヒンジ６１を中心に回動して閉止することにより、蓋部５１がグロメット３０の下側部３４の外側面を覆うようになっている。ヒンジ６１は、可撓帯状をなし、カバー本体部５３の下縁一側縁および蓋部５１（後述する付設部６３）の一側縁の全長に亘って連結されている。
【００２４】
蓋部５１は、グロメット３０の下側部３４に覆い被さる平面部６２と、平面部６２の両側縁から弧状に立ち上げられてグロメット３０の左右両側部に覆い被さる付設部６３とにより断面略Ｕの字状に形成され、グロメットカバー５０の下端部を構成するようになっている。平面部６２の略中央には、貫通孔６４が開口して形成されており、この貫通孔６４に、グロメット３０の係止孔３５が整合して連通され、そこに雌ハウジング１０の係止突部１１が嵌入される。蓋部５１の後縁には、電線導出部３２の根元が嵌合可能とされる逃がし凹部６５が略Ｕの字に切り欠いて形成されている。
【００２５】
蓋部５１の内側面には、グロメット３０の凹所３８と対応する位置に、つまり貫通孔６４と逃がし凹部６５との間に、グロメット係合部５２がグロメット３０側へ突出して形成されている。グロメット係合部５２は、平面部６２において略垂直に切り立つ段差２１を介して周囲より一段高くなるよう突成され、図１に示すように、平面視すると帯状であって平面部６２の全幅に亘って横断する形態とされる。グロメット係合部５２の形成領域は、平面部６２における周囲（グロメット係合部５２を挟んだ前後領域）よりも肉厚となっている。
【００２６】
また、蓋部５１には、グロメット係合部５２と隣接する位置に、カバー本体部５３に係止可能な閉止部６６が形成されている。閉止部６６は、平板状をなして平面部６２に根元を接続させつつ付設部６３と略平行に並んで起立する仕切板６７と、仕切板６７と対向して付設部６３を厚み方向に貫通する略方形の閉止孔６８とにより構成される。一方、カバー本体部５３の下縁他側縁（ヒンジ６１が連結されている側とは反対側の側縁）には、閉止部６６に対応して閉止受け部６９が下向きに突出して形成されている。閉止受け部６９は、平板状をなし、仕切板６７と付設部６３との間に進入可能とされる。閉止受け部６９の先端部には、閉止爪５９が外向きに突出して形成されている。蓋部５１を閉止すると、その過程で付設部６３の先端に閉止爪５９が干渉して閉止受け部６９が内向きに撓み変形させられ、さらに蓋部５１が正規深さで被さると、閉止受け部６９が弾性的に復元しつつ閉止爪５９が閉止孔６８に嵌り込み、もって蓋部５１がカバー本体部５３に離脱規制状態にロックされるようになっている。
【００２７】
次に、本実施形態の組み付け手順および作用効果を説明する。まず、雌ハウジング１０に対して後方から電線の端末に接続された雌端子金具を挿入し、次いで、電線導出部３２に電線群を通したグロメット３０を雌ハウジング１０に対して後方から被せ付ける。すると、グロメット３０のハウジング収容部３１が雌ハウジング１０をその前面を除いて被着される。ハウジング収容部３１が雌ハウジング１０の四方をすっぽり覆うと、雌ハウジング１０の係止突部１１がグロメット３０の係止孔３５を引っ掛け状態で貫通係止して、グロメット３０が雌ハウジング１０の上下両端で抜け止めされる。
【００２８】
続いて、雌ハウジング１０に後方からグロメットカバー５０を被せ付ける。すると、カバー本体部５３がグロメット３０の上面（上側部の外側面）および左右両側面（左右両側部の外側面）の三面を包囲するとともに、蓋部５１が開き状態とされることで、グロメット３０の下面（下側部３４の外側面）が露出される。その状態で蓋部５１を閉止すると、閉止部６６と閉止受け部６９とが係止し合って蓋部５１が閉じ状態に保たれるとともに、係止突部１１が貫通孔６４を引っ掛け状態で貫通係止して、蓋部５１の抜け止めおよび位置決めがなされる。また、蓋部５１の閉止に伴ってグロメット係合部５２がグロメット３０の凹所３８に段違い状に嵌合し、グロメット係合部５２および凹所３８の両段差面が、両ハウジング１０，９０の嵌合方向と略直交する垂直方向に沿って面当たりされる。同時に、グロメット３０の凹所３８は雌ハウジング１０のグロメット受け部１３に段違い状に嵌合し、凹所３８およびグロメット受け部１３の両段差面が、両ハウジング１０，９０の嵌合方向と略直交する垂直方向に沿って面当たりされる。さらに、蓋部５１の閉止に伴ってグロメット３０の突条３６は、図５から図３にかけて示すように、蓋部５１における貫通孔６４の内側孔縁と当接して同蓋部５１により厚み方向に押し潰され、これにより係止突部１１と係止孔３５とが緊密に密着するようになる。
【００２９】
その後、雌ハウジング１０に相手側の雄ハウジング９０を正対させ、その状態から雌雄の両ハウジング１０，９０の嵌合動作を開始させる。このとき、レバー７０を回動初期位置から回動完了位置へ向けて回動操作することにより、両ハウジング１０，９０の嵌合動作を低嵌合力で進めることが可能となる。雌雄の両ハウジング１０，９０が正規嵌合されると、雌ハウジング１０がグロメットカバー５０ごと相手側の雄ハウジング９０に内嵌され、また、嵌合ロック部７６がグロメットカバー５０のロック受け部８２に嵌合係止されてレバー７０の移動操作が規制される。レバー７０を回動初期位置へ戻す際には、レバーロック部８１の突起８４を押圧して、レバーロック部８１を嵌合ロック部７６との係止解除方向に撓み変形させ、しかる後にレバー７０を回動初期位置側へ回動させる。
【００３０】
ところで、グロメット３０を車両側に取り付けるに際し、電線導出部３２が、電線群の延出方向と交差する方向、例えば、後方へ振れることがあり、この電線導出部３２に屈曲して連なるグロメット３０の下側部３４に、電線導出部３２の振れ方向に引っ張り応力が作用することがある。そうすると、電線導出部３２の振れにグロメット３０の係止孔３５の孔周りが追従して変形し、ひいては係止孔３５の内周面が雌ハウジング１０の係止突部１１の外周面から離間して、係止孔３５と係止突部１１との間に隙間が生じることが懸念される。しかるに本発明によれば、蓋部５１のグロメット係合部５２がグロメット３０の下側部３４のうち係止孔３５より電線導出部３２寄りの位置に凹凸状に係合することにより、グロメット３０の追従変形を規制するようにしたから、係止孔３５の相対位置が概ね不動に保たれることとなり、係止突部１１の外周面と係止孔３５の内周面との間に隙間が生じるのを回避できる。結果、電線導出部３２の振れに起因して、雌ハウジング１０内が浸水する事態を阻止でき、防水性を良好に維持することが可能となる。
【００３１】
また、グロメット３０の下側部３４がグロメット係合部５２およびグロメット受け部１３の形状に沿って段差状に屈曲しつつ蓋部５１と雌ハウジング１０との間に挟み付けられるから、電線導出部３２の振れに伴う引っ張り力に抗して、グロメット３０の下側部３４がグロメット係合部５２とグロメット受け部１３との間に噛み込まれる。その結果、グロメット３０における係止孔３５の孔周りの追従変形をいっそう確実に防止することができる。
【００３２】
さらに、グロメット３０の下側部３４に蓋部５１を閉止すると、係止孔３５の開口縁周りに肉盛りされた突条３６が圧潰されるから、係止突部１１の外周面に対して係止孔３５の内周面がリジッドに密着することになる。その結果、係止突部１１と係止孔３５との密着性が高まり、両者間に隙間が生じるのをよりいっそう確実に回避できる。  
さらにまた、グロメット３０の下側部３４に蓋部５１を閉止すると、閉止部６６がカバー本体部５３に係止されて蓋部５１の閉じ状態を強固に保つことができる。この場合に、閉止部６６がグロメット係合部５２と隣接して形成され、つまり、閉止部６６による閉止力の及ぶ範囲にグロメット係合部５２が位置することになるから、グロメット係合部５２が閉止部６６による閉止力を加味してグロメット３０の下側部３４に強く係合することになり、係止孔３５の孔周りの追従変形をよりいっそう確実に防止できる。
【００３３】
＜他の実施形態＞
本発明は上記記述及び図面によって説明した実施形態に限定されるものではなく、例えば次のような実施形態も本発明の技術的範囲に含まれる。  
（１）上記実施形態では、グロメットに凹所が形成され、そこにグロメット係合部が嵌合する構成であったが、本発明においては、グロメット係合部による係合作用によって係止孔の孔周りが変形するのを規制可能であれば特にその構成を限定するものではなく、例えば、グロメット係合部は、蓋部の閉止に伴ってグロメットの一側部（下側部）に食い込み可能な食い込み突起により構成されてもよい。  
（２）上記実施形態では、蓋部はカバー本体部にヒンジを介して連結されていたが、本発明によれば、蓋部はカバー本体部と別体として形成されるものであってもよい。  
（３）本発明は、雄ハウジングに、グロメット、グロメットカバー、およびレバーをそれぞれ装着させた雄型の防水コネクタに適用可能である。
【図面の簡単な説明】
【００３４】
【図１】実施形態１において、コネクタが相手側のコネクタと正対した状態を示す側面図
【図２】グロメットカバーにレバーを回動初期位置に装着して、蓋部を開放させた状態を示す背面図
【図３】グロメットカバーに装着されたレバーを回動完了位置まで回動させて、蓋部を閉止した状態を示す背面図
【図４】グロメットが蓋部と雌ハウジングとの間に挟まれた状態を示す要部破断した側面図
【図５】蓋部を閉止する前の状態を示す要部破断した拡大側面図
【図６】レバーが回動完了位置にてレバーロック部にロックされた状態を示す側面図
【符号の説明】
【００３５】
Ａ…コネクタ
１０…雌ハウジング
１１…係止突部
１３…グロメット受け部
３０…グロメット
３２…電線導出部
３４…下側部（一側部）
３５…係止孔
３８…凹所
５０…グロメットカバー
５１…蓋部
５２…グロメット係合部
７０…レバー
【図１】
0004697061.tif 000002
【図２】
0004697061.tif 000003
【図３】
0004697061.tif 000004
【図４】
0004697061.tif 000005
【図５】
0004697061.tif 000006
【図６】
0004697061.tif 000007